(57)【要約】      （修正有）【課題】利便性を向上させることができるとともに待機電力を抑制する。【解決手段】記録再生装置１０は、電源管理部２３により主切替部１３および記憶部用切替部１５を制御されて、第１の待機状態、第１の待機状態より消費電力が多い第２の待機状態、および第２の待機状態より消費電力が多い通常起動状態の３種の給電状態で駆動される。待機部２０は、時計部２１、通常起動時刻の履歴を記憶する履歴記憶部２２、電源部１１を制御する電源管理部２３などを有する。電源管理部２３は、履歴記憶部２２に記憶されている通常起動状態に移行開始した時刻の履歴にもとづいてユーザが通常起動すべき旨の指示を記録再生装置１０に与える時刻を予測し、この時刻の少し前の時刻を次回通常起動のための準備開始時刻と決定し、この準備開始時刻に第１の待機状態から第２の待機状態に移行するようにする。【選択図】図１
2009266347.tif 000002
【特許請求の範囲】
【請求項１】
第１の待機状態と、前記第１の待機状態より消費電力の多い第２の待機状態と、前記第２の待機状態より消費電力の多い通常起動状態との３つの状態のいずれかで給電可能な電源部と、
常時給電される待機部と、
前記第２の待機状態および前記通常起動状態で給電される録画データ記憶部と、
前記通常起動状態でのみ給電される主要部と、
を備え、
前記待機部は、
時計部と、前記電源部を制御する電源管理部と、通常起動時刻の履歴を記憶する履歴記憶部と、
を有し、
前記時計部は、常時時刻を計時するとともに、あらかじめ設定された時刻に設定時刻信号を前記制御部に出力可能に構成され、
前記電源管理部は、
前記履歴記憶部に前記通常起動状態に移行開始した時刻を記憶させる書込み部と、
前記通常起動時刻の履歴にもとづき次回の通常起動時刻を予測し、この予測した次回通常起動時刻よりも第１の所定の時間だけ前の時刻を次回通常起動の準備開始時刻として決定し、この決定した準備開始時刻を前記時計部に与える起動時刻決定部と、
前記第１の待機状態でありかつ前記決定された準備開始時刻になると、前記電源部を制御して前記録画データ記憶部に給電させることにより前記第１の待機状態から前記第２の待機状態へ移行させる切替制御部と、
を有することを特徴とする記録再生装置。
【請求項２】
前記切替制御部は、
前記決定された準備開始時刻に前記第１の状態から前記第２の待機状態へ移行させた後かつ第２の所定の時間経過する前に前記通常起動状態への移行要求を受けると、前記電源部を制御して前記主要部への給電を開始して前記第２の待機状態から前記通常起動状態へ移行させる、
請求項１記載の記録再生装置。
【請求項３】
前記切替制御部は、
前記決定された準備開始時刻に前記第１の状態から前記第２の待機状態へ移行させた後、前記第２の所定の時間経過すると、前記電源部を制御して前記録画データ記憶部への給電を停止して前記第２の待機状態から前記第１の待機状態へ移行させる、
請求項２記載の記録再生装置。
【請求項４】
前記起動時刻決定部は、
第３の所定の時間ごとに前記準備開始時刻を決定する、
請求項３記載の記録再生装置。
【請求項５】
前記電源部は、
主電源と、主切替手段と、待機電源と、記憶部用電源と、記憶部用切替手段と、
を有し、
前記待機部は、前記待機電源から常時給電され、
前記録画データ記憶部は、前記記憶部用電源から前記記憶部用切替手段を介して給電され、
前記主要部は、前記主電源から前記主切替手段を介して給電され、
前記切替制御部は、
前記主切替手段および前記記憶部用切替手段を制御することにより、前記第１の待機状態、前記第２の待機状態、および前記通常起動状態の３つの状態のいずれかの給電状態を実現する、
請求項４記載の記録再生装置。
【請求項６】
第１の待機状態と、前記第１の待機状態より消費電力の多い第２の待機状態と、前記第２の待機状態より消費電力の多い通常起動状態との３つの状態のいずれかで給電可能な電源部と、
常時給電される待機部と、
前記第２の待機状態および前記通常起動状態で給電される録画データ記憶部と、
前記通常起動状態でのみ給電される主要部と、
を備えた記録再生装置の電源管理方法であって、
通常起動時刻を記憶して履歴を作成するステップと、
前記生成した通常起動時刻の履歴にもとづき次回の通常起動時刻を予測するステップと、
前記予測した次回通常起動時刻よりも第１の所定の時間だけ前の時刻を準備開始時刻として決定するステップと、
前記第１の待機状態でありかつ前記決定された準備開始時刻になると、前記電源部を制御して前記第１の待機状態から前記第２の待機状態へ移行するステップと、
を有することを特徴とする電源管理方法。
【請求項７】
前記決定された準備開始時刻に前記第１の状態から前記第２の待機状態へ移行させた後かつ第２の所定の時間経過する前に前記通常起動状態への移行要求を受けると、前記電源部を制御して前記主要部への給電を開始して前記第２の待機状態から前記通常起動状態へ移行するステップ、
をさらに有する請求項６記載の電源管理方法。
【請求項８】
前記切替制御部は、
前記決定された準備開始時刻に前記第１の状態から前記第２の待機状態へ移行させた後、前記第２の所定の時間経過すると、前記電源部を制御して前記録画データ記憶部への給電を停止して前記第２の待機状態から前記第１の待機状態へ移行するステップ、
をさらに有する請求項７記載の電源管理方法。
【発明の詳細な説明】
【技術分野】
【０００１】
本発明は、待機電力を抑制した記録再生装置およびこの記録再生装置の電源管理方法に関する。
【背景技術】
【０００２】
近年、地球温暖化対策が叫ばれ、家庭用電気機器の待機電力の大きさが問題とされている。一方、家庭用電気機器は、高機能化に伴い、完全に電源を断った状態からの起動処理に要する時間が長くなる傾向にある。
【０００３】
特に、ＨＤＤを記録媒体として用いた記録再生装置では、ＨＤＤに対する給電を停止した状態からＨＤＤが起動するまでに要する時間が長いために、ユーザからの起動要求から起動完了までの時間を短縮するべく、待機時にもＨＤＤに対して給電することが多い。
【０００４】
従来、この種の記録再生装置の待機電力を削減する技術に、特開２０００−１７３２５２号公報（特許文献１）に開示されたものがある。
【０００５】
この特許文献１に開示された電源制御装置は、記録再生装置と、記録再生装置と互いに信号を送受信可能に構成された双方向情報伝達手段と、記録再生装置から受信した各種データを記憶する記憶手段と、記録再生装置に対する電力供給を行う電源ラインオン・オフ手段と、を備える。
【０００６】
この電源制御装置は、記録再生装置からあらかじめ録画予約に関する情報を取得して記憶手段に記憶してから、電源ラインオン・オフ手段により記録再生装置の電源を完全に遮断するようになっている。この結果、記録再生装置からは一度録画予約情報が失われるものの、待機電力を大きく抑制することができる。そして、録画予約時間より第１の準備期間だけ前の時刻に記録再生装置に対する電力供給を開始し、録画予約時間より第２の準備期間（第１の準備期間より短い）だけ前の時刻に記録再生装置に対して録画予約情報を送信することにより、記録再生装置のウォームアップ時間を設け、確実に録画予約が実行できるようになっている。
【特許文献１】特開２０００−１７３２５２号公報
【発明の開示】
【発明が解決しようとする課題】
【０００７】
従来の技術は、記録再生装置をあらかじめ設定された録画予約時間にもとづき起動させることができるものの、記録再生装置と互いに信号を送受信可能な装置を必要としてしまい煩雑である。また、従来の技術は、あらかじめ設定された時間にもとづいて起動することしかできず、ユーザの生活態様は考慮されていない。たとえば、ユーザが起床後に記録再生装置を起動させる場合、従来の技術では、電源が完全に遮断された状態から起動する必要があるため、起動までに要する時間が長く、非常に不便である。
【０００８】
本発明は、上述した事情を考慮してなされたもので、利便性を向上させることができるとともに待機電力を抑制することができる記録再生装置およびこの記録再生装置の電源管理方法を提供することを目的とする。
【課題を解決するための手段】
【０００９】
本発明に係る記録再生装置は、上述した課題を解決するために、第１の待機状態と、前記第１の待機状態より消費電力の多い第２の待機状態と、前記第２の待機状態より消費電力の多い通常起動状態との３つの状態のいずれかで給電可能な電源部と、常時給電される待機部と、前記第２の待機状態および前記通常起動状態で給電される録画データ記憶部と、前記通常起動状態でのみ給電される主要部と、を備え、前記待機部は、時計部と、前記電源部を制御する電源管理部と、通常起動時刻の履歴を記憶する履歴記憶部と、を有し、前記時計部は、常時時刻を計時するとともに、あらかじめ設定された時刻に設定時刻信号を前記制御部に出力可能に構成され、前記電源管理部は、前記履歴記憶部に前記通常起動状態に移行開始した時刻を記憶させる書込み部と、前記通常起動時刻の履歴にもとづき次回の通常起動時刻を予測し、この予測した次回通常起動時刻よりも第１の所定の時間だけ前の時刻を次回通常起動の準備開始時刻として決定し、この決定した準備開始時刻を前記時計部に与える起動時刻決定部と、前記第１の待機状態でありかつ前記決定された準備開始時刻になると、前記電源部を制御して前記録画データ記憶部に給電させることにより前記第１の待機状態から前記第２の待機状態へ移行させる切替制御部と、を有することを特徴とするものである。
【００１０】
一方、本発明に係る電源管理方法は、上述した課題を解決するために、第１の待機状態と、前記第１の待機状態より消費電力の多い第２の待機状態と、前記第２の待機状態より消費電力の多い通常起動状態との３つの状態のいずれかで給電可能な電源部と、常時給電される待機部と、前記第２の待機状態および前記通常起動状態で給電される録画データ記憶部と、前記通常起動状態でのみ給電される主要部と、を備えた記録再生装置の電源管理方法であって、通常起動時刻を記憶して履歴を作成するステップと、前記生成した通常起動時刻の履歴にもとづき次回の通常起動時刻を予測するステップと、前記予測した次回通常起動時刻よりも第１の所定の時間だけ前の時刻を準備開始時刻として決定するステップと、前記第１の待機状態でありかつ前記決定された準備開始時刻になると、前記電源部を制御して前記第１の待機状態から前記第２の待機状態へ移行するステップと、を有することを特徴とする方法である。
【発明の効果】
【００１１】
本発明に係る記録再生装置およびこの記録再生装置の電源管理方法によれば、利便性を向上させることができるとともに待機電力を抑制することができる。
【発明を実施するための最良の形態】
【００１２】
本発明に係る記録再生装置およびこの記録再生装置の電源管理方法の実施の形態について、添付図面を参照して説明する。なお、以下の説明では、録画データを記憶する記憶手段としてＨＤＤおよびＤＶＤを用いることができるＨＤＤ／ＤＶＤレコーダを記録再生装置の一例として示す。
【００１３】
図１は、本発明に係る記録再生装置１０の一実施形態を示す概略的な機能ブロック図である。
【００１４】
記録再生装置１０は、電源部１１と、待機部２０と、録画データ記憶部としてのＨＤＤ３０と、ディスクドライブ部３１と、主要部４０とを有する。
【００１５】
電源部１１は、主電源１２、主切替部１３、記憶部用電源１４、記憶部用切替部１５および待機電源１６を有し、商用電源から電力を供給される。図１に示すように、主電源１２は、主切替部１３を介して主要部４０と接続される。記憶部用電源１４は、記憶部用切替部１５を介してＨＤＤ３０およびディスクドライブ部１３と接続される。また、待機電源１６は、待機部２０と常時接続される。
【００１６】
待機部２０は、待機電源１６から常時給電される。待機部２０は、時計部２１、通常起動時刻の履歴を記憶する履歴記憶部２２、電源部１１を制御する電源管理部２３、デジタルチューナ部２４およびリモコン受信部２５を有する。
【００１７】
記録再生装置１０は、電源管理部２３により主切替部１３および記憶部用切替部１５を制御されて、第１の待機状態、第１の待機状態より消費電力が多い第２の待機状態、および第２の待機状態より消費電力が多い通常起動状態の３種の給電状態で駆動される。
【００１８】
第１の待機状態は、主切替部１３および記憶部用切替部１５がともに開放され、待機部２０のみに給電されている状態である。
【００１９】
第２の待機状態は、主切替部１３が解放される一方、記憶部用切替部１５が短絡され、待機部２０、ＨＤＤ３０およびディスクドライブ部３１に給電されている状態である。
【００２０】
通常起動状態は、主切替部１３および記憶部用切替部１５がともに短絡され、待機部２０、ＨＤＤ３０、ディスクドライブ部３１および主要部４０に給電されている状態である。
【００２１】
時計部２１は、常時時刻を計時するとともに、あらかじめ設定された時刻に設定時刻信号を前記制御部に出力可能に構成される。
【００２２】
履歴記憶部２２は、電源管理部２３により制御されて、通常起動状態に移行開始した時刻の履歴を記憶する。履歴記憶部２２は、たとえばフラッシュメモリによって構成することができる。
【００２３】
図２は、図１に示す電源管理部２３の機能実現部の構成例を示す概略的なブロック図である。なお、この機能実現部の一部または全部は、ハードウエアロジックによって構成されてもよい。
【００２４】
電源管理部２３は、マイクロプロセッサやプログラムメモリなどで構成され、プログラムメモリに格納されたプログラムをマイクロプロセッサが実行することにより、少なくとも履歴判定部２３ａ、起動時刻決定部２３ｂ、切替制御部２３ｃ、ＨＤＤ起動制御部２３ｄ、通常起動判定部２３ｅおよび書込み部２３ｆとして機能する。これらの機能実現部２３ａ〜２３ｆは、マイクロプロセッサを用いることなく回路などのハードウエアロジックによって構成してもよい。
【００２５】
履歴判定部２３ａは、履歴記憶部２２を検索し、所要の時間幅内において、通常起動状態に移行開始した履歴があるかどうか判定する。
【００２６】
起動時刻決定部２３ｂは、履歴記憶部２２に記憶されている通常起動状態に移行開始した時刻の履歴にもとづいてユーザが通常起動すべき旨の指示を記録再生装置１０に与える時刻（次回起動時刻）を予測し、この時刻の少し前（第１の所定の時間だけ前）の時刻を次回通常起動のための準備開始時刻と決定し、この準備開始時刻に第１の待機状態から第２の待機状態に移行するようにする。
【００２７】
切替制御部２３ｃは、主切替部１３および記憶部用切替部１５を制御することにより、記録再生装置１０を、第１の待機状態、第２の待機状態および通常起動状態の３種の給電状態で駆動する。
【００２８】
ＨＤＤ起動制御部２３ｄは、ＨＤＤ３０の回転が安定した後、ＨＤＤ３０の管理情報の読み込みなどＨＤＤ３０を起動する準備を行う。
【００２９】
通常起動判定部２３ｅは、リモコン２５ａを介して、または主切替部１３（主電源１２スイッチ）を介して、ユーザから通常起動すべき旨の指示があったかどうかを判定する。
【００３０】
書込み部２３ｆは、ユーザから通常起動すべき旨の指示を受けると、この指示を受けた時刻を、通常起動状態に移行開始した時刻として履歴記憶部２２に記憶させる。
【００３１】
デジタルチューナ部２４は、デジタル放送情報を受信する。ここで、デジタル放送情報とは、テレビ局が放送する番組の映像データ、音声データおよびその他のデータ（ＰＳＩ／ＳＩデータなど）をいうものとする。
【００３２】
なお、図１で、デジタルチューナ部２４を常時給電の対象としているのは、デジタル放送情報に含まれうる緊急放送信号への対応や、ＥＰＧデータの取得や、記録再生装置１０のファームアップデート情報の取得などを随時実行可能とすることにより、ユーザの利便性をより向上させるためである。
【００３３】
リモコン受信部２５は、ユーザの操作に対応した信号をリモコン２５ａから受信し、受信した信号に応じた出力をＣＰＵ４１に与える。リモコン受信部２５は、ユーザからリモコン２５ａを介して通常起動するべき旨の指示をいつでも受付けられるよう、常時給電される。
【００３４】
録画データ記憶部としてのＨＤＤ３０は、録画データを記憶する。また、ディスクドライブ部３１は、装填されたＤＶＤに録画データを記憶させる。ＨＤＤ３０およびディスクドライブ部３１は、第２の待機状態および通常起動状態では給電され、第１の待機状態では給電されない。
【００３５】
一般に、ＨＤＤ３０に対して給電を開始してからＨＤＤ３０に対してデータを安定して読み書き可能となるまでには時間がかかる。また、ディスクドライブ部３１にＤＶＤがセットされていると、ディスクドライブ部３１に対して給電を開始してからＤＶＤを認識するまでに時間がかかる。このため、第１の待機状態にある記録再生装置１０に対してユーザから通常起動すべき旨の指示があると、ＨＤＤ３０およびディスクドライブ部３１の起動に時間を要してしまい、通常起動の完了までに時間がかかってしまう。
【００３６】
一方、ＨＤＤ３０およびディスクドライブ部３１に給電されている第２の待機状態からであれば、迅速に通常起動を完了することができるが、第２の待機状態は、第１の待機状態に比べて消費電力が多いという問題がある。
【００３７】
できるだけ第１の待機状態を長く取り、かつ通常起動される直前には第２の待機状態にあることが望ましい。そこで、本実施形態に係る記録再生装置１０は、起動時刻決定部２３ｂにより準備開始時刻を決定し、この準備開始時刻に第１の待機状態から第２の待機状態に移行するようにする。
【００３８】
主要部４０は、記録再生装置１０の本来の機能を実行する。主要部４０は、ＣＰＵ４１、ＲＡＭ４２、ＲＯＭ４３、表示部４４、音声出力部４５、ＡＶデコーダ部４６およびＡＶエンコーダ部４７を有する。
【００３９】
ＣＰＵ４１は、ＲＯＭ４３内に記憶されたプログラムおよびプログラムの実行のために必要なデータをＲＡＭ４２へロードし、プログラムに従って記録再生装置１０の本来機能を実現する。
【００４０】
ＲＡＭ４２は、ＣＰＵ４１が実行するプログラムおよびデータを一時的に格納するワークエリアを提供する。
【００４１】
ＲＯＭ４３は、記録再生装置１０の起動プログラムをはじめとする各種プログラムや、これらのプログラムを実行するために必要な各種データを記憶する。
【００４２】
なお、ＲＯＭ４３は、磁気的もしくは光学的記録媒体または半導体メモリなどの、ＣＰＵ４１により読み取り可能な記録媒体を含んだ構成を有し、ＲＯＭ４３内のプログラムおよびデータの一部または全部は電子ネットワークを介してダウンロードされるように構成してもよい。
【００４３】
ＡＶデコーダ部４６は、デジタルＡＶデータをデコードするブロックである。デジタルＡＶデータは、デジタルチューナ部３１から受けたＭＰＥＧ−ＴＳデータ、ＨＤＤ３０およびディスクドライブ部３１から受けたデジタルデータなどから供給される。また、デジタルＡＶデータには、ＭＰＥＧ−２、ＭＰＥＧ−４  ＡＶＣ、ＶＣ−１などのビデオデータと、ＭＰＥＧ−２  ａｕｄｉｏ、ＡＡＣ、ＬＰＣＭなどのオーディオデジタルデータが含まれている。
【００４４】
ＡＶデコーダ部４６は、デコードした映像データをＬＣＤやＰＤＰなどにより構成される表示部４４に与えてデジタル放送情報に含まれる映像などを表示部４４を介して出力させ、デコードした音声データを音声出力部４５（スピーカ）に与えてデジタル放送情報に含まれる音声などを音声出力部４５を介して出力させ、その他のデータをＣＰＵ４１に与えてその他のデータに含まれる番組情報などの情報をＨＤＤ３０に記憶させる。
【００４５】
ＡＶエンコーダ部４７は、アナログ信号をエンコードし、デジタルＡＶデータを生成する機能を有する。アナログ信号は、外部入力およびアナログチューナなどを介して供給される。
【００４６】
次に、本実施形態に係る記録再生装置１０の動作の一例について説明する。
【００４７】
図３は、図１に示す記録再生装置１０の電源管理部２３により、通常起動状態に移行開始した時刻の履歴にもとづいて次回起動時刻を予測して、この予測した次回起動時刻の少し前（第１の所定の時間だけ前）の時刻を次回通常起動のための準備開始時刻と決定する際の手順を示すフローチャートである。図３において、Ｓに数字を付した符号は、フローチャートの各ステップを示す。
【００４８】
この手順は、あらかじめ、履歴記憶部２２に通常起動状態に移行開始した時刻の履歴が記憶されてスタートとなる。
【００４９】
なお、以下の説明では、第１の所定の時間を１０分、準備開始時刻を決定する周期（第３の所定の時間）を１時間とする場合の例について示す。第３の所定の時間が１時間の場合の一例として、７時ジャストからの１時間（７時台）、８時ジャストからの１時間（８時台）などの履歴にもとづいて準備開始時刻を決定する場合の例について示す。この場合、時計部２１には、各時ジャストの時刻から第１の所定の時間だけ前の毎時５０分に準備開始時刻を決定すべき旨の信号を出力するようあらかじめ設定しておく。
【００５０】
まず、ステップＳ１において、時計部２１は、現在時刻が「５０分」であるかどうか判定する。たとえば、現在の時刻が７時５０分である場合、「５０分」であるためステップＳ２に進む。一方、「５０分」でない場合は、時計部２１は、引き続き現在時刻を監視する。
【００５１】
次に、ステップＳ２において、履歴判定部２３ａは、履歴記憶部２２を検索し、次の１時間、すなわち８時台に通常起動状態に移行開始した履歴があるかどうか判定する。通常起動状態に移行開始した履歴がある場合は、ステップＳ３に進む。一方、ない場合は、８時台に通常起動状態に移行する可能性が低いと判断して一連の手順を終了する。
【００５２】
次に、ステップＳ３において、起動時刻決定部２３ｂは、履歴記憶部２２から８時台の履歴を抽出する。この抽出方法には、履歴記憶部２２に記憶されている８時台の全ての履歴を抽出する方法をはじめ、同じ曜日の履歴のみを抽出する方法、曜日を平日と休日に分けて抽出する方法、昨日１日だけを抽出する方法など、さまざまな方法が考えられ、これらのどれを用いてもよい。また、どの方法を選択するかをユーザによってリモコン２５ａを介して決定されてもよい。以下の説明では、履歴記憶部２２に記憶されている８時台の全ての履歴を抽出する方法を用いる場合の例について示す。
【００５３】
次に、ステップＳ４において、起動時刻決定部２３ｂは、８時台の履歴にもとづいて次回の通常起動時刻を予測する。この予測方法としては、８時台の全ての履歴の平均を取る方法や、今日に近い履歴ほど影響が大きくなるような重み付けをして予測する方法などが考えられる。
【００５４】
次に、ステップＳ５において、起動時刻決定部２３ｂは、予測した次回通常起動時刻よりも第１の所定の時間（１０分）だけ前の時刻を次回通常起動の準備開始時刻として決定し、この決定した準備開始時刻ｔｗを時計部２１に設定する。
【００５５】
以上の手順により、通常起動状態に移行開始した時刻の履歴にもとづいて次回起動時刻を予測して、この予測した次回起動時刻から次回通常起動のための準備開始時刻を決定することができる。
【００５６】
図４は、準備開始時刻に第２の待機状態へ移行し、予測した次回起動時刻を第２の待機状態で迎える際の手順を示すフローチャートである。図４において、Ｓに数字を付した符号は、フローチャートの各ステップを示す。
【００５７】
この手順は、あらかじめ、起動時刻決定部２３ｂにより、準備開始時刻ｔｗが決定され、この準備開始時刻ｔｗが時計部２１に設定されてスタートとなる（図３ステップＳ５参照）。
【００５８】
なお、以下の説明では、図３に示した手順の結果、次回通常起動時刻が８時１５分と予測され、準備開始時刻ｔｗが８時５分と決定された場合の例について説明する。
【００５９】
また、あらかじめ、第２の所定の時間が１５分である旨の情報が時計部２１に与えられているものとする。
【００６０】
ステップＳ１１において、時計部２１は、現在時刻ｔがｔｗ（８時５分）に到達したかどうか判定する。到達した場合はステップＳ１２に進む。一方、まだ到達していない場合は、時計部２１は、引き続き現在時刻ｔを監視する。
【００６１】
次に、ステップＳ１２において、切替制御部２３ｃは、記憶部用切替部１５を短絡し、ＨＤＤ３０およびディスクドライブ部３１に対して記憶部用電源から給電を開始して、第１の待機状態から第２の待機状態に移行する。
【００６２】
次に、ステップＳ１３において、ＨＤＤ起動制御部２３ｄは、ＨＤＤ３０の回転が安定した後、ＨＤＤ３０の管理情報の読み込みなどＨＤＤ３０を起動する準備を行う。また、ＤＶＤが装填されている場合は、このステップＳ１３でディスクドライブ部３１はＤＶＤの回転を開始し起動準備を行う。
【００６３】
次に、ステップＳ１４において、通常起動判定部２３ｅは、ユーザから通常起動すべき旨の指示があったかどうかを判定する。ユーザから通常起動すべき旨の指示がなかった場合は、ステップＳ１５に進む。一方、ユーザから通常起動すべき旨の指示があった場合は、ステップＳ１７に進む。
【００６４】
次に、ステップＳ１５において、時計部２１は、現在時刻が、準備開始時刻に対して第２の所要の時間（たとえば１５分）を加えた時刻をこえているかどうか判定する。越えている場合はステップＳ１６に進む。一方、まだ越えていない場合はステップＳ１４に戻る。
【００６５】
次に、ステップＳ１６において、切替制御部２３ｃは、記憶部用切替部１５を開放し、ＨＤＤ３０への給電を停止して第２の待機状態から第１の待機状態へ戻る。
【００６６】
ステップＳ１５およびステップＳ１６を実行することにより、第２の所定の時間経過後に第１の待機状態に移行することができるため、予測した次回通常起動時刻が適切でなかった場合でも消費電力の無駄を最小限に抑えることできる。
【００６７】
他方、ステップＳ１４でユーザから通常起動すべき旨の指示を受けた場合は、ステップＳ１７において、書込み部２３ｆは、この指示を受けた時刻を、通常起動状態に移行開始した時刻として履歴記憶部２２に記憶させる。
【００６８】
次に、ステップＳ１８において、切替制御部２３ｃは、主切替部１３を短絡し、主要部４０に対して主電源１２から給電を開始して、第２の待機状態から通常起動状態へ移行する。
【００６９】
以上の手順により、準備開始時刻に第２の待機状態へ移行し、予測した次回起動時刻を第２の待機状態で迎えることができる。
【００７０】
本実施形態に係る記録再生装置１０は、ユーザの通常起動指示の履歴にもとづいて、次回起動時刻を予測し、この時刻の近傍でのみＨＤＤ３０およびディスクドライブ部３１を給電待機状態にする。このため、ユーザ自らはなんら操作を行うことなく、自動的に、ユーザの生活態様を考慮した待機状態を実現することができる。したがって、本実施形態に係る記録再生装置１０によれば、ユーザの利便性を向上させることができるとともに、待機電力を極力抑制することができる。
【００７１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００７２】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【図面の簡単な説明】
【００７３】
【図１】本発明に係る記録再生装置の一実施形態を示す概略的な機能ブロック図。
【図２】図１に示す電源管理部の機能実現部の構成例を示す概略的なブロック図。
【図３】図１に示す記録再生装置の電源管理部により、通常起動状態に移行開始した時刻の履歴にもとづいて次回起動時刻を予測して、この予測した次回起動時刻の少し前（第１の所定の時間だけ前）の時刻を次回通常起動のための準備開始時刻と決定する際の手順を示すフローチャート。
【図４】準備開始時刻に第２の待機状態へ移行し、予測した次回起動時刻を第２の待機状態で迎える際の手順を示すフローチャート。
【符号の説明】
【００７４】
１０  記録再生装置
１１  電源部
１２  主電源
１３  主切替部
１４  記憶部用電源
１５  記憶部用切替部
１６  待機電源
２０  待機部
２１  時計部
２２  履歴記憶部
２３  電源管理部
２３ａ  履歴判定部
２３ｂ  起動時刻決定部
２３ｃ  切替制御部
２３ｄ  ＨＤＤ起動制御部
２３ｅ  通常起動判定部
２３ｆ  書込み部
２４  デジタルチューナ部
２５  リモコン受信部
２５ａ  リモコン
３０  ＨＤＤ
３１  ディスクドライブ部
４０  主要部
４１  ＣＰＵ
４２  ＲＡＭ
４３  ＲＯＭ
４４  表示部
４５  音声出力部
４６  ＡＶデコーダ部
４７  ＡＶエンコーダ部
【図１】
2009266347.tif 000003
【図２】
2009266347.tif 000004
【図３】
2009266347.tif 000005
【図４】
2009266347.tif 000006